(57)【要約】  【課題】開閉装置を躯体側の空間幅を広くしたり開閉体が仕切る空間幅を縮小したりすること無く設置する。  【解決手段】スライドする開閉体１の開放動作および／または閉鎖動作をアシストするアシスト手段Ｄを、開閉体１の幅方向の両側部位を除く部位のいずれかに設置する。  【選択図】図１
2005299311.tif 000002
【特許請求の範囲】
【請求項１】
スライドする開閉体の開放動作および／または閉鎖動作をアシストするアシスト手段を備えた開閉装置において、
前記アシスト手段を、開閉体の幅方向の両側部位を除く部位のいずれかに設置していることを特徴とする開閉装置。
【請求項２】
前記アシスト手段が、開閉体の上方に設置されていることを特徴とする請求項１に記載の開閉装置。
【請求項３】
前記アシスト手段を、アシスト力が開閉体の開閉方向と交差する方向に作用するように設置し、当該アシスト力の方向を開閉体の開閉方向に変換する変換手段を備えたことを特徴とする請求項１または請求項２に記載の開閉装置。
【請求項４】
前記アシスト手段が、開閉体幅方向に沿う方向にアシスト力を作用させるように設置されていることを特徴とする請求項３に記載の開閉装置。
【請求項５】
前記アシスト手段が、弾性体の弾性力をアシスト力とするものであって、
当該アシスト手段は、前記当該弾性体と、この弾性体と連結された可撓性を有する巻付け部材と、巻付け部材が巻き取られる巻取り部材とを備え、
巻取り部材が、開閉体の開閉動作に関与する動力手段の動力により巻取り動作して巻付け部材を引っ張り、この引張り力によって弾性体の弾性力を発生させるようにしていることを特徴とする請求項１ないし請求項４いずれか１項に記載の開閉装置。
【請求項６】
前記開閉体が巻取り装置において巻き取られる形態のものであって、前記変換手段をアシスト手段と巻取り装置における巻取り軸とに亘って設けていることを特徴とする請求項１ないし請求項５いずれか１項に記載の開閉装置。
【請求項７】
開閉体の開閉動作に対してアシスト力および／または抵抗力を作用させる引っ張り部材を、開閉体幅方向のすくなくとも一端側に備えたことを特徴とする請求項１ないし請求項６いずれか１項に記載の開閉装置。
【発明の詳細な説明】
【技術分野】
【０００１】
本発明は、オーバーヘッドドアを含むシャッター装置、ドア、雨戸を含む引戸、サッシ窓、スライディングウォール装置等の開閉装置に関し、特に、シャッター装置として好適な開閉装置に関するものである。
【背景技術】
【０００２】
従来、スライドする開閉体の開放動作および／または閉鎖動作をアシストするアシスト手段を備えた開閉装置には、たとえば、特許文献１に記載されているように、テンションスプリングの引っ張り力を開閉体の閉鎖動作にアシスト力として与えるものがある。
【特許文献１】特表２００３-５２７５１３号
【発明の開示】
【発明が解決しようとする課題】
【０００３】
ところで、前記した構成の開閉装置に用いられるテンションスプリングは、通常、その伸縮方向を開閉体の開閉方向に沿わせて、開閉体の幅方向の両端部側のガイドレール内に内蔵される。
また、前記ガイドレール内には、テンションスプリングのアシスト力を開閉体の動作に伝達するための各種部材、さらには、開閉体の開閉動作を制御するための錘部材等が内蔵される場合もある。
そのため、前記したテンションスプリングを始めとする各種部材を内蔵するスペースをガイドレール内に確保する必要がある。
また、前記内蔵スペースを確保するのには、ガイドレールの幅を広くしなければならないため、開閉体が仕切る目的の空間幅を確保するのに、躯体側の空間幅を内蔵スペース分広くする必要がある。
しかしながら、躯体側の空間幅を広くするために、既設の建物における開閉体の交換時においては、躯体側の空間を広げる工事を行う場合があるが、この場合、工事に手間が掛かり費用が嵩むこともさることながら躯体側の強度に影響を与える虞れがある。
また、開閉体が仕切る空間幅を縮小する場合もあるが、この場合、開閉体の交換前に通過できていたものが交換後には幅が狭くなって通過できなくなる虞れがある。
【０００４】
そこで、本発明は、躯体側の空間幅を広くしたり開閉体が仕切る空間幅を縮小したりすることなく設置可能な開閉装置の提供を目的とする。
【課題を解決するための手段】
【０００５】
前記課題を解決するための第１発明は、スライドする開閉体の開放動作および／または閉鎖動作をアシストするアシスト手段を備えた開閉装置において、前記アシスト手段を、開閉体の幅方向の両側部位を除く部位のいずれかに設置していることを特徴とする。
【０００６】
本発明でいう開閉装置とは、空間を開閉可能に仕切る開閉体を動力または人力によって開閉動作し、この開閉動作における開放動作および／または閉鎖動作をアシストするように構成された装置のすべてを含む。
前記開閉装置には、開閉体が開放動作のみを行うように用いられる態様や、開閉体が閉鎖動作のみを行うように用いられる態様、さらには、開閉体が開放動作と閉鎖動作の双方を行うように用いられる態様等を含む。
前記開閉体の形態として、複数のスラットやパイプを開閉方向に連設してなる形態や、パネルまたはシート状物さらにはネット状物を開閉方向へ単数もしくは複数連設してなる形態、あるいはスラット、パイプ、パネル、シート状物、ネット状物等を適宜に組み合わせてなる形態等が挙げられる。
前記アシスト手段は、スライドする開閉体の開放動作および／または閉鎖動作をアシスト可能な手段のすべてを含み、たとえば、弾性体の弾性力をアシスト力とするものが挙げられ、具体的には、従来から使用されているテンションスプリングおよびぜんまいバネやゴム製のひも状体や帯状体等が挙げられる。
【０００７】
前記アシスト手段の設置部位としては、開閉体の幅方向の両側部位を除く部位であれば任意であり、躯体側の空間を有効に使用するという観点から、たとえば、第２発明のように、開閉体の上方に設置することが好ましい。
また、前記アシスト手段の設置方向は、そのアシスト力を開閉体の開閉方向に沿う方向に作用させるように設置することや、開閉方向と交差する方向に作用させるように設置することのいずれでもよいが、第３発明のように、アシスト力が開閉体の開閉方向と交差する方向に作用するように設置する場合、当該アシスト力の方向を開閉体の開閉方向に変換する変換手段を備えることが好ましい。
前記変換手段とは、前記開閉体の開閉方向と交差するアシスト力を、開閉体の開放動作および／または閉鎖動作へのアシスト力として変換可能なもののすべてを含み、たとえば、かさ歯車やユニバーサルジョイント、ラックピニオン等が挙げられる。
たとえば、変換手段がかさ歯車の場合、前記開閉体の開閉方向と交差する方向のアシスト力が、かさ歯車の一方の歯車を回転させることによって、これと噛み合う他方の歯車が回転して、当該他方の歯車の回転が開閉体の開放動作および／または閉鎖動作へのアシスト力として作用することになる。
また、躯体側の空間をより有効に使用するには、第４発明のように、前記アシスト手段を開閉体幅方向に沿う方向にアシスト力を作用させるように設置することが好ましい。
【０００８】
そして、第５発明のように、前記アシスト手段が、弾性体の弾性力をアシスト力とするものである場合、当該アシスト手段は、前記弾性体と、この弾性体と連結された可撓性を有する巻付け部材と、巻付け部材が巻き取られる巻取り部材とを備え、巻取り部材が、開閉体の開閉動作に関与する動力手段の動力により巻取り動作して巻付け部材を引っ張り、この引張り力によって弾性体の弾性力を発生させることを特徴とする。
前記巻付け部材とは、巻取り部材に巻付け可能な可撓性を有するもののすべてを含み、たとえば、ひも状体や帯状体、あるいはチェーンやワイヤー等が挙げられる。
また、前記巻取り部材とは、巻付け部材を巻取り可能なもののすべてを含み、たとえば、プーリーやドラム等が挙げられる。
また、前記第３発明の構成に第５発明を適用する場合には、たとえば、変換手段がかさ歯車の場合、巻取り部材を一方の歯車と同軸回転するように軸支し、この巻取り部材に巻付け部材を巻付けて構成される。
そして、第６発明では、前記開閉体が巻取り装置において巻き取られる形態のものである場合、前記変換手段をアシスト手段と巻取り装置における巻取り軸とに亘って設けていることを特徴とする。
この場合、たとえば、変換手段を前記かさ歯車としたとき、当該かさ歯車の他方の歯車を巻取り軸に軸支して、当該他方の歯車の回転によって、開閉体の巻取りおよび／または巻き出しをアシストするように構成される。
【０００９】
さらに、第７発明では、開閉体の開閉動作に対してアシスト力および／または抵抗力を作用させる引っ張り部材を、開閉体幅方向のすくなくとも一端側に備えたことを特徴とする。
前記引っ張り部材とは、開閉体の開閉動作に対してアシスト力および／または抵抗力を作用させるもののすべてを含み、たとえば、錘部材や引っ張りばね等が挙げられる。
【発明の効果】
【００１０】
本発明は、以上の構成により下記の効果を有する。
第１発明によれば、アシスト手段が、開閉体の幅方向の両側部位を除く部位に設置されるので、躯体側の空間幅を広くしたり開閉体が仕切る空間幅を縮小したりすることなく開閉装置を設置することができる。
さらに、第２発明によれば、前記アシスト手段を開閉体の上方に設置しているので、躯体のスペースをより有効に使用することができる。
【００１１】
また、第３発明によれば、アシスト手段をアシスト力が開閉体の開閉方向と交差する方向に作用するように設置し、当該アシスト力の方向を開閉体の開閉方向に変換する変換手段を備えているので、躯体のスペースを有効に使用する構成を具体的に提供することができる。
さらに、第４発明によれば、前記アシスト手段を開閉体幅方向に沿う方向にアシスト力を作用させるように設置しているので、躯体側の空間を有効に使用する点について効果的である。
特に、この第４発明の構成を前記第２発明の構成に適用することによって、アシスト手段を開閉体の厚さ方向へ突出させることなく、躯体側の空間に収めることができるので、躯体側の空間を有効に使用する点についてより効果的である。
【００１２】
また、第５発明によれば、弾性体の弾性力を利用する容易な構成で、アシスト手段がアシスト力を発生させる構成を具体的に提供することができる。
また、第６発明によれば、前記開閉体が巻取り装置において巻き取られる形態のものにアシスト手段を備える構成を具体的に提供することができる。
【００１３】
さらに、第７発明によれば、引っ張り部材を設けたことによって、開閉体の開閉動作に対してアシスト力および／または抵抗力を作用させることができるので、開閉体の開閉動作を行うための動力または人力をアシスト力によって低減したり、全開時および全閉時に至る際の衝撃を抵抗力によって緩和したりすることができる。
【発明を実施するための最良の形態】
【００１４】
以下、本発明の実施の形態を図１ないし図３に基づいて説明する。
図１および図２は、本発明の第１の実施の形態（以下、「第１実施例」という）を、図３は、本発明の第２の実施の形態（以下、「第２実施例」という）を、図４は、本発明の第３の実施の形態（以下、「第３実施例」という）を示している。
また、各実施例で示す開閉装置は、住宅やビル、倉庫、工場、地下街、トンネル、車両の荷台等の構築・構造物における開口部分や内部に配設され、前記開口部分を開閉したり、躯体内部の空間を仕切ったり開放したりする開閉体を備え、当該開閉体をガイドレールにより開閉方向へ案内することで、空間を仕切ったり開放したりするシャッター装置に適用した構成を例示する。
なお、第２実施例の構成において、第１実施例の構成と重複する部位についての説明は図面に同符号を付けることによって省略する。
【００１５】
第１実施例の開閉装置Ａは、図１および図２に示すように、開閉体１がモーター部Ｂの動力で動作する巻取り装置２によって、ガイドレール１１，１２に案内されて上下方向に巻き取られたり繰り出されたりするものである。
【００１６】
本実施例の巻取り装置２は、開閉体１の巻き取りと繰り出しを行うための巻取り軸２１が、開閉体幅方向に両側に亘って回転可能に支持されている。
また、前記モーター部Ｂと巻取り軸２１とに亘って、スプロケットＣ１，Ｃ２とチェーンＣ３からなる動力伝達機構Ｃが配設され、当該動力伝達機構ＣによってモーターＢの動力を巻取り軸２１へ伝達することによって、開閉体１が開閉動作する。
【００１７】
符号Ｄは、モーター部Ｂの巻き取り動作をアシストするアシスト手段である。
本実施の形態のアシスト手段Ｄは、前記巻取り軸２１の左端部から開閉体１を開放方向へアシストするものと、前記巻取り軸２１の右端部から開閉体１を閉鎖方向へアシストするものとの２個備えており、両アシスト手段は略同様の構成としている。
【００１８】
アシスト手段Ｄは、巻取り軸２１の上方、かつ巻取り軸２１と平行に配設された引っ張りばね３と、引っ張りばね３の先端に連結されたワイヤー４と、前記引っ張りばね３の引っ張り力を巻取り軸２１の巻取り回転力として伝達する変換手段５とから構成されている。
変換手段５は、前記巻取り軸２１と同軸のかさ歯車５１と、当該かさ歯車５１とその軸線と直角方向に交差する軸線方向として噛み合うかさ歯車５２とからなる直角歯車機構である。
前記かさ歯車５２には、同軸で回転する巻取りプーリー５３が軸支され、当該巻取りプーリー５３に前記ワイヤー４が巻取りおよび繰り出し可能に連結されている。
【００１９】
なお、本実施例の前記アシスト手段は２個備えたものであるが、本発明ではこの２個に限定するものではなく、１個のアシスト手段で巻取り軸のいずれかの端部から開閉体１を開放方向または閉鎖方向へアシストするようにしてもよい。
また、前記アシスト手段の形態として、前記巻取り軸の両端部にそれぞれ前記変換手段を設け、この変換手段の間に１本の引っ張りばねを配設し、この引っ張りばねの各端部にそれぞれ前記ワイヤーを連結するとともに、これらワイヤーを各変換手段に連結してなる形態も挙げられる。
【００２０】
前記構成のアシスト手段Ｄの一方は、開閉体１の全閉状態では前記引っ張りばね３が伸びて、ワイヤー４が前記巻取りプーリー５３に巻き取られるようにしている。
また、引っ張りばね３の引っ張り力がワイヤー４および変換手段５を介して、巻取り軸２１の巻取り回転方向に作用するようにしている。
すなわち、モーターＢの動力によって巻取り軸２１を巻取り回転(開閉体１の開放動作)させるとき、前記引っ張りばね３の引っ張り力がワイヤー４を介して巻取りプーリー５３を繰り出し回転させる。
その巻取りプーリー５３の繰り出し回転は、変換手段５を介して巻取り軸２１の巻取り回転力として作用する。
したがって、開閉体１の開放動作時には、モーターＢの動力にアシスト手段Ｄの引っ張り力をアシスト力として加えることができる。
また、開閉体１の閉鎖動作時には、モーターＢが巻取り軸２１を繰り出し回転（開閉体１の閉鎖動作）させるとき、その回転が変換手段５を介して巻取りプーリー５３の巻取り回転として伝達される。
その巻取りプーリー５３の巻取り回転によって巻き取られるワイヤー４が引っ張りばね３を引っ張ることによって、引っ張りばね３に引っ張り力が生じる。
この引っ張り力は、前記したように、ワイヤー４および変換手段５を介して、巻取り軸２１の巻取り回転方向に作用するので、巻取り軸２１の繰り出し回転には抵抗力として作用して開閉体１が開き切るときの衝撃を緩和することになる。
さらに、開閉体１の閉鎖動作時には、他方のアシスト手段Ｄによるアシスト力が開閉体１の閉鎖方向へ作用し、抵抗力が開閉体１の開放方向へ作用する。
【００２１】
符号６は、ワイヤー４の張力を検出する張力検出手段であり、仮に、ワイヤー４または引っ張りばね３が切断された場合に、ワイヤー４の張力に異常が生じたことを検出するものである。
張力検出手段６は、スイッチボックス６１と、当該スイッチボックス６１に出没動可能に嵌合された検知体６２と、当該検知体６２を常にスイッチボックス６１から突出する方向へ付勢するスプリング６３と、前記スイッチボックス６１に内蔵され前記検知体９２が突出方向へ移動することによってＯＮされ、没入する方向へ移動することによってＯＦＦされるスイッチ部（図示せず）から構成されている。
検知体６２は、先端に設けられたローラー６４が前記ワイヤー４に正対して付勢力によって押し付られるように接触している。
また、ローラー６４によって、ワイヤー４の巻取りおよび繰り出し時における接触摩擦を緩和するようにしている。
なお、前記張力検出手段については、本願発明の必須要件ではないが、これを設けることによって、張力異常をより早期に検出でき、これにより、開閉動作に支障を起こす虞れを未然に防ぐことができる。
【００２２】
前記スプリング６３の付勢力は、ワイヤー４に作用する正常な張力よりも弱い力であり、ワイヤー４に作用する張力が正常であるときには、その張力によって検知体６２の突出方向の移動が阻止されて、スイッチ部のＯＦＦ状態が保持される。
そして、ワイヤー４が切断されてその張力が減少したときに。前記スプリング６３の付勢力で検知体６２が突出方向へ移動し、当該検知体６２の移動に伴ってスイッチ部がＯＮ状態となって、ワイヤー４または引っ張りばね３に張力異常が生じたことを検出し、張力異常という情報を電気的に生じさせるようにされている。
【００２３】
前記電気的な情報は、制御手段（図示せず）に入力され、この入力された情報に基づいて当該制御手段が、たとえば警報ランプ等（図示せず）や警報ブザー等（図示せず）で知らせたり、前記巻取り軸２１の回転に制動を与えるようなブレーキ装置（図示せず）を作動させたり、さらには、モーター部Ｂの動作を停止させたりするように制御される。
なお、前記制御は、後述する各実施例にも適用する。
【００２４】
次に、本発明の第２実施例を説明する。
本実施例の開閉装置Ａ’は、アシスト手段Ｄにおける変換手段５が、巻取り軸２１と同軸のプーリー５４と、当該プーリー５４の軸線と直角方向に交差する軸線方向とするプーリー５５と、両プーリー５４，５５とに亘って巻き掛けられるベルト５６とから構成されたものである。
前記ベルト５６の巻き掛け形態は、ベルト５６を両プーリー５４，５５間でねじることによって巻き掛けられているものである。
このような、変換手段５を備えた開閉装置Ａ’によっても、前記第１実施例の開閉装置Ａと同様に、開閉体１の開放動作や閉鎖動作にアシスト力を作用させるとともに、開閉体１に抵抗力を作用させて衝撃を緩和することができる。
【００２５】
次に、本発明の第３実施例を説明する。
本実施例の開閉装置Ａ''は、前記アシスト手段Ｄに加えて、開閉体の開閉動作を制御する開閉動制御装置７が備えられている。
開閉動制御装置７は、可撓性を有し、伸縮性が少ない線状体７１と、当該線状体７１が巻き掛けられる滑車機構８と、線状体７１に張力を与える錘部材９とから構成された周知の構成のものであるので、具体的な説明は省略するが、基本的には、この開閉動制御装置７は、開閉体１の開閉動作当初において錘部材９の自重により線状体７１に生じる張力が、開閉体１の開閉動作にアシスト力として作用するようにしたものである。
また、前記滑車機構８に対応する高さ位置でのデッドポイントを境に、開閉体１の開閉動作後半において錘部材９の自重により線状体７１に生じる張力が、開閉体１の開閉動作に抵抗力として作用するようにしたものである。
本実施例のように、アシスト手段Ｄと開閉動制御装置７を備える開閉装置Ａ’’によっても、アシスト手段Ｄが巻取り軸２１の上方に設けているので、空間の有効幅の確保について期待できる。
【００２６】
なお、本発明は、前記で例示した実施例に限定するものではなく、特許請求の範囲の各項に記載された内容から逸脱しない範囲で、他の構成による実施が可能である。
【図面の簡単な説明】
【００２７】
【図１】本発明に係る開閉装置の第１実施例の正面図。
【図２】図１の要部平面図。
【図３】本発明に係る開閉装置の第２実施例の要部平面図。
【図４】本発明に係る開閉装置の第３実施例の正面図。
【符号の説明】
【００２８】
Ａ：開閉装置
Ａ’：開閉装置
Ａ'’：開閉装置
Ｂ：モーター部
Ｃ：動力伝達機構
Ｄ：アシスト手段
１：開閉体
１１：ガイドレール
１２：ガイドレール
２：巻取り装置
２１：巻取り軸
３：引っ張りばね
４：ワイヤー
５：変換手段
５１：かさ歯車
５２：かさ歯車
５３：巻取りプーリー
５４：プーリー
５５：プーリー
５６：ベルト
【図１】
2005299311.tif 000003
【図２】
2005299311.tif 000004
【図３】
2005299311.tif 000005
【図４】
2005299311.tif 000006